(57)【要約】  本発明は、遊戯具が内蔵されたストローであり、ストローの貫通孔に内蔵された遊戯具が、ストローの内部の液体の流れによって回転して使用者の視覚を刺激するので、そのストローは、ユーザーに楽しさを提供することができ、製品の広告及び室内の装飾品として使用することができる。
2007513677.tif 000002
【特許請求の範囲】
【請求項１】
内部に飲料が流通する貫通孔（１１）を有するストロー（１０）であって、
前記ストローは、使用者に遊戯感覚を提供するために、前記ストローの前記貫通孔内に設けられると共に前記飲料の流れにより一部が回転するようになっている遊戯具を備えるストロー。
【請求項２】
前記遊戯具は、
一定の間隔を隔てて互いに分離された一対の案内部材（１１０）であって、前記一対の案内部材はそれぞれ、ジグザグの形に配設された半円形の案内孔（１１１）を有する一対の案内部材（１１０）と、
前記案内部材（１１０）を支持するために前記案内部材（１１０）の間に互いに対向するように固定された一対の支持部材（１２０）であって、前記一対の支持部材（１２０）はそれぞれ、それらの中央に形成された支持孔(１２１)を有する一対の支持部材(１２０)と、
時計回り及び反時計回りに回転するように前記支持孔（１２１）に設けられた回転部材（１３０）であって、前記回転部材（１３０）は、前記支持部材（１２０）の前記支持孔（１２１）と同一線上に設けられたボディ（１３１）、中央に形成された穴（１３２）、前記ボディ（１３１）の周囲に放射状に設けられた３個の回転羽根（１３３）、及び回転軸（１３４）を有し、前記回転軸（１３４）は、前記ボディ（１３１）の前記穴（１３２）内に設けられると共に時計回り及び反時計回りに回転するように前記支持部材（１２０）の前記支持孔（１２１）に組み立てられた回転部材(１３０)と
を備え、
前記遊戯具が、前記ストロー（１０）の前記貫通孔（１１）の内周に積層すると共に堅固に設けられている、請求項１に記載のストロー。
【請求項３】
前記回転部材(１３０)は、蛍光性である、請求項２に記載のストロー。
【請求項４】
遊戯具が内蔵されたストローであって、
前記遊戯具は、
一定の間隔を隔てて互いに分離された一対の案内部材（１１０）であって、前記一対の案内部材はそれぞれ、ジグザグの形に配設された半円形の案内孔（１１１）を有する一対の案内部材（１１０）と、
前記案内部材（１１０）を支持するために前記案内部材（１１０）の間に互いに対向するように固定された一対の支持部材（１２０）であって、前記一対の支持部材（１２０）はそれぞれ、それらの中央に形成された支持孔(１２１)を有する一対の支持部材(１２０)と、
時計回り及び反時計回りに回転するように前記支持孔（１２１）に設けられた回転部材（１３０）であって、前記回転部材（１３０）は、前記支持部材（１２０）の前記支持孔（１２１）と同一線上に設けられたボディ（１３１）、中央に形成された穴（１３２）、前記ボディ（１３１）の周囲に放射状に設けられた３個の回転羽根（１３３）、及び回転軸（１３４）を有し、前記回転軸（１３４）は、前記ボディ（１３１）の前記穴（１３２）内に設けられると共に時計回り及び反時計回りに回転するように前記支持部材（１２０）の前記支持孔（１２１）に組み立てられた回転部材（１３０）と
を備え、
前記遊戯具（１００）を収容するための円筒状の本体（２１０）と前記ストロー（１０）を保持するための下部挿入口（２２０）とを備えるケース（２００）の内部に、前記遊戯具（１００）が積層すると共に堅固に設けられ、次に、前記ストロー（１０）を内部に保持するための上部挿入口（３１０）を有するキャップ（３００）が前記ケース（２００）の上部を覆い、前記下部挿入口（２２０）と前記上部挿入口（３１０）とに前記ストロー（１０）が挿入されるストロー。
【請求項５】
回転部材(１３０)は、蛍光性である、請求項４に記載のストロー。
【発明の詳細な説明】
【技術分野】
【０００１】
本発明は、ストローに関し、特にストローの貫通孔に、液体の流れによって回転する遊戯具を内蔵したストローに関するものである。
【背景技術】
【０００２】
一般的にストロー１０というのは、図１に図示したように、内部に貫通孔１１を有し、ユーザーが単純に飲料やカクテルを飲んだり食べたりするのに使用される。さらに、従来のストローは使い捨てであるので、資源の無駄使いになり、製品の広告や装飾品として使うことができない。
【発明の開示】
【０００３】
従って、本発明は上述した問題に鑑みてなされたものであり、遊戯具を内蔵したストローを提供することが本発明の目的である。ストローの貫通孔に内蔵された遊戯具が、ストローの内部の液体の流れによって回転して使用者の視覚を刺激するので、そのストローは、ユーザーに楽しさを提供することができ、製品の広告及び室内の装飾品として使用することができる。
【発明を実施するための最良の形態】
【０００４】
本発明は、ストローに吸入された液体の流れによって回転する遊戯具を内蔵したストローに関し、特に、ユーザーが飲料を飲む時に、飲む感覚だけではなくユーザーの視覚を刺激することによる遊戯感覚をもユーザーに提供することができる、遊戯具を内蔵したストローに関するものである。
【０００５】
具体的に言えば、そのストローは、ストローの貫通孔内の飲料の流れにより、その全部または一部が動くことまたは回転することによってユーザーに遊戯感覚を提供するための遊戯具を備えている。
【０００６】
ここで、ストロー内部で作動する遊戯具は、図案や絵、または蛍光性を持つことで、ユーザーが飲料を飲む時に、審美感または遊戯感覚を楽しむことができるようにしてもよい。
【０００７】
以下、添付された図面に基づいて、具体的な実施例を挙げて本発明を詳細に説明するが、本発明は実施例に制限されない。
【０００８】
図２は本発明の第１実施例に係る遊戯具の斜視図であり、図３は本発明の第１実施例に係る遊戯具の断面図であり、図４は遊戯具がストローの内部に設けられた状態を示す断面図であり、図５はストローの内部に設けられた遊戯具が作動する状態を示す断面図であり、図６は本発明の第２実施例の構造の分離斜視図であり、図７は本発明の第２実施例のストローが組み立てられた状態を示す斜視図である。
【０００９】
図２及び図３に示したように、本発明の第１実施例によれば、いくつかの遊戯具１００が、ストロー１０の貫通孔１１の内周に積層すると共に堅固に設けられている。各遊戯具１００は、一定の間隔を隔てて互いに分離された一対の案内部材１１０であって、一対の案内部材はそれぞれ、ジグザグの形に配設された半円形の案内孔１１１を有する一対の案内部材１１０と、案内部材１１０を支持するために案内部材１１０の間に互いに対向するように固定された一対の支持部材１２０であって、一対の支持部材１２０はそれぞれ、それらの中央に形成された支持孔１２１を有する一対の支持部材１２０と、時計回り及び反時計回りに回転するように支持孔１２１に設けられた回転部材１３０とを備えている。回転部材１３０は、支持部材１２０の支持孔１２１と同一線上に設けられたボディ１３１、中央に形成された穴１３２、ボディ１３１の周囲に放射状に設けられた３個の回転羽根１３３、及び回転軸１３４を有し、回転軸１３４は、ボディの穴１３２内に設けられると共に時計回り及び反時計回りに回転するように支持部材１２０の支持孔１２１に組み立てられている。
【００１０】
ここで、案内部材１１０の外周は、貫通孔１１の内周と同一か、または大きく、回転部材１３０は蛍光性である。
【００１１】
次に、前記のように構成された本発明の使用方法を説明する。
【００１２】
まず、図４に示されるように、少なくとも２段に積層された遊戯具１００がストロー１０の貫通孔１１内に設けられた状態で、ユーザーは、カクテルが入っているコップの内部にストロー１０挿入し、ストロー１０を用いてカクテルを飲むと、図５に示されるように、ストロー１０の貫通孔１１に吸入されたカクテルの流れによって遊戯具１００の回転部材１３０が回転する。
【００１３】
この際、ストロー１０の貫通孔１１に吸入されたカクテルは、下部に位置する案内部材１１０の案内孔１１１に流入され、これと同時に回転部材１３０の回転羽根１３３を押しながら動くので、穴１３２を中心として回転軸１３４と共に回転羽根１３３が一方向に回転する。
【００１４】
また、回転部材１３０の回転羽根１３３を通過したカクテルは、上部に位置する案内部材１１０の案内孔１１１を通して、遊戯具１００の上部へ排出され、ストロー１０内に積層されている他の遊戯具１００'の内部を上記方法で通過するようになる。
【００１５】
回転部材１３０は、暗い所でも光を発散する蛍光性であるので、回転部材１３０が回転する時だけでなく回転しない時も光を発散する。従って、遊戯具１００を内蔵したストロー１０は、ユーザーの視覚を刺激するとともにユーザーの口の中に吸入されたカクテルの味を吟味させることができる。
【００１６】
ここで、前記遊戯具１００が内蔵されたストロー１０は、カクテルを飲む時だけではなく、他の飲料や水を飲むときにも使うことができる。
【００１７】
次に、図６に示したように、本発明の第２実施例によれば、遊戯具１００は、一定の間隔を隔てて互いに分離された一対の案内部材１１０であって、一対の案内部材はそれぞれ、ジグザグの形に配設された半円形の案内孔１１１を有する一対の案内部材１１０と、案内部材１１０を支持するために案内部材１１０の間に互いに対向するように固定された一対の支持部材１２０であって、一対の支持部材１２０はそれぞれ、それらの中央に形成された支持孔１２１を有する一対の支持部材１２０と、時計回り及び反時計回りに回転するように支持孔１２１に設けられた回転部材１３０とを備えている。回転部材１３０は、支持部材１２０の支持孔１２１と同一線上に設けられたボディ１３１、中央に形成された穴１３２、ボディ１３１の周囲に放射状に設けられた３個の回転羽根１３３、及び回転軸１３４を有し、回転軸１３４は、ボディ１３１の穴１３２内に設けられると共に時計回り及び反時計回りに回転するように支持部材１２０の支持孔１２１に組み立てられている。遊戯具１００を収容するための円筒状の本体２１０とストロー１０を保持するための下部挿入口２２０とを備える透明なケース２００の内部に、遊戯具１００が積層すると共に堅固に設けられている。その後、ストロー１０を保持するための上部挿入口３１０を有するキャップ３００がケース２００の上部を覆い、下部挿入口２２０と上部挿入口３１０とのそれぞれにストロー１０が挿入される。
【００１８】
ここで、案内部材１１０の外周は、ケース２００の内周と同一か、または大きく、回転部材１３０は蛍光性である。
【００１９】
本発明の第２実施例の動作及び効果は、遊戯具１００の構成が同一なので、実施例１と実質的に等しいといえる。
【００２０】
しかし、遊戯具１００がストロー１０に挿入される構造の代わりに、本発明の第２実施例は、遊戯具１００を収容するための円筒状の本体２１０とストロー１０を保持するための下部挿入口２２０とを備えるケース２００、及びストロー１０を保持するための上部挿入口３１０を有するキャップ３００を備えた構造を有している。従って、図７に示されるように、遊戯具の直径をストロー１０の直径より大きくして、ユーザーが飲料を飲む時に、ユーザーが審美感または遊戯感覚をさらに大きく感じることができるようにしてもよい。
【００２１】
［産業上の利用分野］
以上のように、本発明による遊戯具を内蔵したストローは、ストローの内部の液体の流れによって回転して使用者の視覚を刺激するので、そのストローは、ユーザーに楽しさを提供することができ、製品の広告及び室内の装飾品として使用することができる。
【図面の簡単な説明】
【００２２】
【図１】従来のストローを示す斜視図である。
【図２】本発明の第１実施例に係る遊戯具の斜視図である。
【図３】本発明の第１実施例に係る遊戯具の断面図である。
【図４】遊戯具がストローに装着された状態を示す断面図である。
【図５】ストローの内部に設けられた遊戯具が作動する状態を示す断面図である。
【図６】本発明の第２実施例に係る遊戯具の分離斜視図である。
【図７】本発明の第２実施例のストローが組み立てられた状態を示す斜視図である。
【符号の説明】
【００２３】
１００  遊戯具、１１０  案内部材、１２０  支持部材、１３０  回転部材、２００  ケース、３００  キャップ。
【図１】
2007513677.tif 000003
【図２】
2007513677.tif 000004
【図３】
2007513677.tif 000005
【図４】
2007513677.tif 000006
【図５】
2007513677.tif 000007
【図６】
2007513677.tif 000008
【図７】
2007513677.tif 000009
【国際調査報告】
2007513677.tif 000010